(57)【要約】【課題】複数の負荷動作部に対して複数の電池から適切に電力供給を行うこと。【解決手段】制御回路１３０および受信回路１４２は、電池１１１，１１２と接続可能であり、接続された電池から供給される電力により駆動される。切換部１１３は、電池１１１，１１２と制御回路１３０および受信回路１４２との間の接続状態を切り換え可能である。また、切換部１１３は、電池１１１，１１２を直列接続した状態と電池１１１，１１２を並列接続した状態とを切り換え可能である。【選択図】図１
2020126027.tif 000002
【特許請求の範囲】
【請求項１】
電力を供給する複数の電池と、
前記複数の電池と接続可能であり、接続された電池から供給される電力により駆動される複数の負荷動作部と、
前記複数の電池と前記複数の負荷動作部との間の接続を切り換え可能であり、かつ前記複数の電池を直列接続した状態と前記複数の電池を並列接続した状態とを切り換え可能な切換部と、
を備えることを特徴とする電子時計。
【請求項２】
前記切換部は、前記複数の負荷動作部のうち前記複数の電池を接続する負荷動作部の駆動に要する電力に応じて、前記複数の電池を直列接続した状態と前記複数の電池を並列接続した状態とを切り換えることを特徴とする請求項１に記載の電子時計。
【請求項３】
発電を行う発電部を備え、
前記複数の電池は、前記発電部と接続されると充電され、
前記切換部は、前記複数の電池と前記発電部との間の接続状態を切り換え可能である、
ことを特徴とする請求項１または２に記載の電子時計。
【請求項４】
前記複数の電池が供給する各電圧を検出する検出部を備え、
前記切換部は、前記複数の電池のうち、前記検出部によって検出された各電圧に基づいて選択された電池を前記発電部に接続する、
ことを特徴とする請求項３に記載の電子時計。
【請求項５】
前記切換部は、前記複数の電池のうち、前記検出部によって検出された電圧が最も低い電池を前記発電部に接続することを特徴とする請求項４に記載の電子時計。
【請求項６】
前記切換部は、前記複数の電池が供給する電圧の不足により自時計のハードウェアに対する制御が停止するパワーブレイク状態になると、前記複数の電池を前記発電部に直列接続した後に、前記複数の電池を前記発電部に並列接続することを特徴とする請求項３〜５のいずれか一つに記載の電子時計。
【請求項７】
前記切換部は、前記発電部に直列接続した前記複数の電池による供給電圧に基づいて、前記複数の電池を並列接続しても自時計が前記パワーブレイク状態へ移行しない状態になった後に、前記複数の電池を前記発電部に並列接続することを特徴とする請求項６に記載の電子時計。
【発明の詳細な説明】
【技術分野】
【０００１】
この発明は、電子時計に関する。
【背景技術】
【０００２】
従来、電池から供給される電力によって駆動される腕時計などの電子時計が知られている。電子時計は、衛星電波の受信回路や高速運針の駆動回路など、電池の電力により駆動される複数の負荷動作部を備える場合がある。
【０００３】
また、複数の電池を有し、ランプなどの負荷動作部が一時的に高い電圧を必要とする場合に複数の電池を並列接続から直列接続に切り換える携帯電子機器などの電源装置が知られている（たとえば、下記特許文献１参照。）。
【先行技術文献】
【特許文献】
【０００４】
【特許文献１】特開平１１−７３４１号公報
【発明の概要】
【発明が解決しようとする課題】
【０００５】
しかしながら、上述した従来技術では、電子時計の複数の負荷動作部に対して複数の電池から適切に電力供給を行うことができないという問題がある。たとえば、駆動に要する電力は負荷動作部の種別によって異なるが、上述した従来技術では、電力の供給先に応じた電力供給を行うことができない。
【０００６】
この発明は、上述した従来技術による問題点を解消するため、複数の負荷動作部に対して複数の電池から適切に電力供給を行うことができる電子時計を提供することを目的とする。
【課題を解決するための手段】
【０００７】
上述した課題を解決し、目的を達成するため、この発明にかかる電子時計は、電力を供給する複数の電池と、前記複数の電池と接続可能であり、接続された電池から供給される電力により駆動される複数の負荷動作部と、前記複数の電池と前記複数の負荷動作部との間の接続を切り換え可能であり、かつ前記複数の電池を直列接続した状態と前記複数の電池を並列接続した状態とを切り換え可能な切換部と、を備えることを特徴とする。
【０００８】
これにより、複数の負荷動作部のうち電池の接続先に応じて、各電池を直列接続した状態と各電池を並列接続した状態とを切り換えることができる。
【０００９】
また、この発明にかかる電子時計は、前記切換部が、前記複数の負荷動作部のうち前記複数の電池を接続する負荷動作部の駆動に要する電力に応じて、前記複数の電池を直列接続した状態と前記複数の電池を並列接続した状態とを切り換えることを特徴とする。
【００１０】
また、この発明にかかる電子時計は、発電を行う発電部を備え、前記複数の電池が、前記発電部と接続されると充電され、前記切換部が、前記複数の電池と前記発電部との間の接続状態を切り換え可能であることを特徴とする。
【００１１】
また、この発明にかかる電子時計は、前記複数の電池が供給する各電圧を検出する検出部を備え、前記切換部が、前記複数の電池のうち、前記検出部によって検出された各電圧に基づいて選択された電池を前記発電部に接続することを特徴とする。
【００１２】
また、この発明にかかる電子時計は、前記切換部が、前記複数の電池のうち、前記検出部によって検出された電圧が最も低い電池を前記発電部に接続することを特徴とする。
【００１３】
また、この発明にかかる電子時計は、前記切換部が、前記複数の電池が供給する電圧の不足により自時計のハードウェアに対する制御が停止するパワーブレイク状態になると、前記複数の電池を前記発電部に直列接続した後に、前記複数の電池を前記発電部に並列接続することを特徴とする。
【００１４】
また、この発明にかかる電子時計は、前記切換部が、前記発電部に直列接続した前記複数の電池による供給電圧に基づいて、前記複数の電池を並列接続しても自時計が前記パワーブレイク状態へ移行しない状態になった後に、前記複数の電池を前記発電部に並列接続することを特徴とする。
【発明の効果】
【００１５】
この発明の一側面によれば、複数の負荷動作部に対して複数の電池から適切に電力供給を行うことができるという効果を奏する。
【図面の簡単な説明】
【００１６】
【図１】図１は、実施の形態にかかる電子時計の一例を示す図である。
【図２】図２は、実施の形態にかかる電子時計の通常動作時における処理の一例を示すフローチャートである。
【図３】図３は、実施の形態にかかる電子時計の通常動作時における電源の状態の一例を示す図である。
【図４】図４は、実施の形態にかかる電子時計の通常動作時における電源の状態の他の一例を示す図である。
【図５】図５は、実施の形態にかかる電子時計の通常動作時における電源の状態のさらに他の一例を示す図である。
【図６】図６は、実施の形態にかかる電子時計の高負荷動作時における処理の一例を示すフローチャートである。
【図７】図７は、実施の形態にかかる電子時計の高負荷動作時における電源の状態の一例を示す図である。
【図８】図８は、実施の形態にかかる電子時計の高負荷動作時における電源の状態の他の一例を示す図である。
【図９】図９は、実施の形態にかかる電子時計の高負荷動作時における電源の状態のさらに他の一例を示す図である。
【図１０】図１０は、実施の形態にかかる電子時計のパワーブレイク時における処理の一例を示すフローチャートである。
【図１１】図１１は、実施の形態にかかる電子時計のパワーブレイク時における充電の一例を示す図である。
【図１２】図１２は、実施の形態にかかる電子時計の電池における電圧値と電流の発電量ごとの関係の一例を示す図である。
【図１３】図１３は、実施の形態にかかる電子時計のパワーブレイク時における処理の他の一例を示すフローチャートである。
【発明を実施するための形態】
【００１７】
以下に図面を参照して、この発明にかかる電子時計の実施の形態を詳細に説明する。
【００１８】
（実施の形態）
（実施の形態にかかる電子時計）
図１は、実施の形態にかかる電子時計の一例を示す図である。図１に示すように、実施の形態にかかる電子時計１００は、電源１１０と、太陽電池１２０と、制御回路１３０と、アンテナ１４１と、受信回路１４２と、駆動機構１５１と、表示部１５２と、操作部１６０と、を備える。
【００１９】
電源１１０は、電池１１１，１１２を備え、電池１１１，１１２の電力を制御回路１３０や受信回路１４２へ供給する。また、電源１１０は、太陽電池１２０から制御回路１３０を介して供給される電力により電池１１１，１１２を充電する。具体的には、電源１１０は、切換部１１３を備え、切換部１１３による経路切り換えにより、電池１１１，１１２、制御回路１３０および受信回路１４２の接続状態を切り換える。接続状態とは、たとえばいずれの素子をいずれの素子に接続しているかの状態である。
【００２０】
電池１１１，１１２のそれぞれは、たとえば充電が可能な二次電池である。たとえば、電池１１１，１１２のそれぞれは、たとえば小型化が容易な全固体電池やポリマ電池とすることができる。これにより、複数の電池を備える電源１１０の大型化を抑制することができる。ただし、電池１１１，１１２のそれぞれはこれらに限らず任意の二次電池とすることができる。
【００２１】
切換部１１３は、スイッチＳＷ１〜ＳＷ４を有する。スイッチＳＷ１〜ＳＷ４は、たとえばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ−Ｔｒａｎｓｉｓｔｏｒ）を用いたＭＯＳＦＥＴスイッチにより実現できる。ただし、スイッチＳＷ１〜ＳＷ４はＭＯＳＦＥＴスイッチに限らず機械式スイッチなどであってもよい。スイッチＳＷ１〜ＳＷ４による経路切り換えは、たとえば後述の制御回路１３０の演算部１３３によって制御される。
【００２２】
スイッチＳＷ１は、電池１１１の正極を、制御回路１３０と接続した状態と、受信回路１４２と接続した状態と、いずれの素子にも接続していない状態とに切り換え可能である。スイッチＳＷ２は、電池１１１の負極を、グランドと接続した状態と、電池１１２の正極と接続した状態と、いずれの素子にも接続していない状態と、に切り換え可能である。
【００２３】
スイッチＳＷ３は、電池１１２の正極を、制御回路１３０と接続した状態と、受信回路１４２と接続した状態と、いずれの素子にも接続していない状態とに切り換え可能である。スイッチＳＷ４は、電池１１２の負極を、グランドと接続した状態と、電池１１１の正極と接続した状態と、いずれの素子にも接続していない状態と、に切り換え可能である。
【００２４】
また、スイッチＳＷ１〜ＳＷ４の切り換えは、電源１１０から制御回路１３０への電力供給が途絶えないように、すなわち、電池１１１，１１２の少なくともいずれかが制御回路１３０に接続されているように行われるようにしてもよい。たとえば、演算部１３３は、電池１１１のみが制御回路１３０に接続された状態から電池１１２のみが制御回路１３０に接続された状態に切り換える場合に、まず電池１１２を制御回路１３０に接続してから電池１１１を制御回路１３０から切断する。これにより、たとえば太陽電池１２０における発電量が少ないときにスイッチＳＷ１〜ＳＷ４の切り換えを行っても、制御回路１３０への電力供給の瞬断を回避することができる。
【００２５】
太陽電池１２０は、電子時計１００に対して照射される太陽光などの外光によって発電を行う発電部である。太陽電池１２０の発電により得られた電力は、制御回路１３０へ供給されるとともに、後述のように制御回路１３０の充電制御回路１３１を介して電源１１０へも供給される。
【００２６】
制御回路１３０は、充電制御回路１３１と、電圧検出回路（検出部）１３２と、演算部１３３と、モータ駆動回路１３４と、を備える。制御回路１３０は、たとえば協調して動作するプロセッサおよびメモリを有するマイクロコンピュータ等の情報処理装置により実現することができる。
【００２７】
充電制御回路１３１は、太陽電池１２０から供給される電力を制御回路１３０の各部および電源１１０へ供給する。また、充電制御回路１３１は、太陽電池１２０からの所定量以上の電力の供給の有無、すなわち太陽電池１２０における所定量以上の発電の有無を判定し、判定結果を演算部１３３へ通知する。
【００２８】
電圧検出回路１３２は、電源１１０から供給される電力の電圧値を検出し、検出結果を演算部１３３へ通知する。電圧検出回路１３２は、たとえば電源１１０から供給される電圧をアナログ値からディジタル値に変換するＡＤＣ（Ａｎａｌｏｇ／Ｄｉｇｉｔａｌ  Ｃｏｎｖｅｒｔｅｒ：アナログ／ディジタル変換器）により実現することができる。
【００２９】
演算部１３３は、制御回路１３０の補助メモリに格納されたプログラムを読み出し、読み出したプログラムを制御回路１３０のメインメモリにロードして実行することにより各種の情報処理や制御を実行する。
【００３０】
たとえば、演算部１３３は、自動または手動により受信回路１４２を制御して、測時受信、測位受信および閏秒受信などの電波受信を行う。手動による電波受信は、たとえば操作部１６０によって特定の操作が受け付けられたことによって実行される。自動による電波受信は、たとえば電子時計１００の内部時刻が所定の時刻（一例としては午前２時）になったことによって実行される。
【００３１】
また、演算部１３３は、電子時計１００のＲＴＣ（Ｒｅａｌ  Ｔｉｍｅ  Ｃｌｏｃｋ：リアルタイムクロック）から供給される信号によって計時される内部時刻を、衛星電波の受信により得られた時刻情報に基づいて修正する。そして、演算部１３３は、修正した内部時刻に基づいて、表示部１５２により表示すべき時刻を決定し、決定した時刻を表示部１５２が表示するようにモータ駆動回路１３４を制御する。モータ駆動回路１３４は、演算部１３３からの制御に応じて、後述する駆動機構１５１に含まれるモータを駆動する駆動信号を出力する。
【００３２】
また、演算部１３３は、たとえば上述の電波受信によって内部時刻を修正した場合に、修正後の内部時刻と表示時刻とを一致させるように表示部１５２の指針を高速に駆動する高速運針を行ってもよい。この高速運針や上述の電波受信は、電子時計１００において比較的に消費電力（時間あたりに消費する電力量）が大きい高負荷動作である。一方で、電子時計１００の内部時刻の進行に伴って表示部１５２の指針を駆動する通常運針は、電子時計１００において比較的に消費電力が小さい低負荷動作である。
【００３３】
また、演算部１３３は、電源１１０の切換部１１３が有するスイッチＳＷ１〜ＳＷ４による経路切り換えを制御する。たとえば、スイッチＳＷ１〜ＳＷ４のそれぞれがＭＯＳＦＥＴスイッチにより実現される場合は、演算部１３３は、スイッチＳＷ１〜ＳＷ４のそれぞれに対する印加電圧を制御することにより、スイッチＳＷ１〜ＳＷ４による経路切り換えを制御する。
【００３４】
アンテナ１４１は、たとえば衛星から送信され時刻情報を含む衛星電波を受信し、受信した衛星電波を示す衛星電波信号を受信回路１４２へ出力する。受信回路１４２は、アンテナ１４１から出力された衛星電波信号の受信動作を行い、受信動作により得られた衛星電波の内容を示すビット列を制御回路１３０へ出力する。受信動作には、たとえば増幅、周波数変換、復調、アナログ信号からディジタル信号への変換、復号などが含まれる。
【００３５】
駆動機構１５１は、制御回路１３０のモータ駆動回路１３４から出力される駆動信号に応じて動作するステップモータおよび輪列を含み、ステップモータの回転を輪列が伝達することによって、表示部１５２に含まれる指針（たとえば時針、分針および秒針）などを回転させる。表示部１５２は、たとえば、時針、分針および秒針などの指針を含み、指針により現在時刻等を表示する。
【００３６】
操作部１６０は、たとえば、リューズやプッシュボタンなどの、電子時計１００のユーザが電子時計１００を操作するためのユーザインタフェースを含む。制御回路１３０は、操作部１６０が受け付けた操作入力の内容に応じて各種の処理を実行する。たとえば、制御回路１３０は、ユーザによる操作部１６０に対する操作入力に応じて上述の電波受信などを行う。
【００３７】
電子時計１００が電波受信として衛星電波を受信する構成について説明したが、電子時計１００は、電波受信として標準電波（標準周波数報時電波）の受信を行い、受信した標準電波に基づいて内部時刻を修正する構成としてもよい。また、電子時計１００は、電波受信として衛星電波および標準電波の両方の受信を行ってもよい。
【００３８】
図１に示した電子時計１００の構成のうち、制御回路１３０は、表示部１５２の高速運針の際に、指針の高速駆動等の高負荷動作を行う負荷動作部となる。また、受信回路１４２は、上述の電波受信の際に、信号の増幅等の高負荷動作を行う負荷動作部となる。
【００３９】
図１に示した例において、電源１１０が２つの電池（電池１１１，１１２）を有する構成について説明したが、電源１１０は３つ以上の電池を有していてもよい。その場合に、切換部１１３は、３つ以上の電池のそれぞれについて、制御回路１３０と接続した状態と、受信回路１４２と接続した状態と、いずれの素子にも接続していない状態とに切り換え可能なように構成される。
【００４０】
また、切換部１１３は、３つ以上の電池のうち２つ以上の電池を直列に制御回路１３０および受信回路１４２と接続する状態に切り換え可能なように構成される。このような切換部１１３は、たとえば、電池１１１に接続するスイッチＳＷ１，ＳＷ２、および電池１１２に接続するスイッチＳＷ３，ＳＷ４と同様のスイッチを、３つ目以降の電池に対しても設けることにより実現することができる。
【００４１】
図１に示した電子時計１００は、たとえば腕時計である。ただし、電子時計１００は、腕時計に限らず、懐中時計、置き時計、掛け時計などの時計であってもよい。また、電子時計１００は、たとえば指針により時刻を表示するアナログ時計である。ただし、電子時計１００は、アナログ時計に限らず、ディスプレイにより時刻を表示するディジタル時計、または音声によって時刻を通知する音声時計などであってもよい。また、電子時計１００は、アナログ時計やディジタル時計の時刻表示部を示す画像をディスプレイにより表示することにより現在時刻を通知する時計（たとえばスマートウォッチ）であってもよい。
【００４２】
（実施の形態にかかる電子時計の通常動作時における処理）
図２は、実施の形態にかかる電子時計の通常動作時における処理の一例を示すフローチャートである。通常動作時において、電子時計１００はたとえば図２に示す処理を実行する。通常動作とは、たとえば電波受信や高速運針などの高負荷動作を行わずに、現在時刻の表示等の低負荷動作を行う動作である。図２に示す処理は、たとえば図１に示した制御回路１３０の演算部１３３により実行される。
【００４３】
まず、電子時計１００は、電源１１０の各電池の電圧値（出力電圧）を検出する（ステップＳ２０１）。たとえば、電源１１０の各電池が図１に示したように電池１１１，１１２であるとする。この場合に、演算部１３３は、まず電池１１１，１１２のうち電池１１１のみが制御回路１３０（電圧検出回路１３２）に接続された状態となるように切換部１１３を制御する。これにより、電圧検出回路１３２によって電池１１１の電圧値を検出することができる。
【００４４】
つぎに、演算部１３３が、電池１１１，１１２のうち電池１１２のみが制御回路１３０に接続された状態となるように切換部１１３を制御する。これにより、電圧検出回路１３２によって電池１１２の電圧値を検出することができる。電源１１０に３個以上の電池がある場合も同様に、各電池を１個ずつ制御回路１３０に接続させることで、各電池の電圧値を検出することができる。
【００４５】
つぎに、電子時計１００は、ステップＳ２０１によって検出した各電池の電圧値がほぼ等しいか否かを判断する（ステップＳ２０２）。たとえば、電子時計１００は、ステップＳ２０１によって検出した各電池の電圧値の間の各差分を算出し、各差分の最大値が所定値未満であるか否かによって、各電池の電圧値がほぼ等しいか否かを判断する。
【００４６】
ステップＳ２０２において、各電池の電圧値がほぼ等しい場合（ステップＳ２０２：Ｙｅｓ）は、電子時計１００は、電源１１０の各電池を制御回路１３０に並列接続するように切換部１１３を制御し（ステップＳ２０３）、一連の処理を終了する。ステップＳ２０３による制御結果については後述する（たとえば図３参照）。
【００４７】
ステップＳ２０２において、各電池の電圧値が等しくない場合（ステップＳ２０２：Ｎｏ）は、電子時計１００は、太陽電池１２０による所定量以上の発電があるか否かを判断する（ステップＳ２０４）。たとえば、演算部１３３は、充電制御回路１３１からの上述の通知に基づいて太陽電池１２０による所定量以上の発電があるか否かを判断する。所定量は、たとえば上述の通常動作時の制御回路１３０の消費電力に相当する量である。
【００４８】
ステップＳ２０４において、所定量以上の発電がある場合（ステップＳ２０４：Ｙｅｓ）は、電子時計１００は、ステップＳ２０５へ移行する。すなわち、電子時計１００は、電源１１０の各電池のうち、ステップＳ２０１によって検出された電圧値が最も低い電池を制御回路１３０に接続し残りの電池を切断するように切換部１１３を制御し（ステップＳ２０５）、一連の処理を終了する。
【００４９】
電池を切断するとは、たとえばその電池を制御回路１３０にも受信回路１４２にも接続しないようにすることである。ステップＳ２０５により、所定量以上の発電がある、すなわち電子時計１００の通常動作の電力を発電により供給できている場合に、電圧値が低い電池を制御回路１３０に接続して充電することができる。ステップＳ２０５による制御結果については後述する（たとえば図４，図５参照）。
【００５０】
ステップＳ２０４において、所定量以上の発電がない場合（ステップＳ２０４：Ｎｏ）は、電子時計１００は、ステップＳ２０６へ移行する。すなわち、電子時計１００は、電源１１０の各電池のうち、ステップＳ２０１によって検出された電圧値が最も高い電池を制御回路１３０に接続し残りの電池を切断するように切換部１１３を制御し（ステップＳ２０６）、一連の処理を終了する。ステップＳ２０６により、所定量以上の発電がない、すなわち電子時計１００の通常動作の電力を発電により供給できていない場合に、電圧値が高い電池を制御回路１３０に接続し、通常動作の停止を抑制することができる。
【００５１】
電子時計１００は、たとえば図２に示す処理を繰り返し実行する。ただし、電子時計１００による図２に示す処理の実行方法はこれに限らない。たとえば、電子時計１００は、電子時計１００の制御回路１３０の動作開始時（起動時）や、後述の高負荷動作から通常動作への復帰時などにおいて図２に示す処理を実行してもよい。
【００５２】
（実施の形態にかかる電子時計の通常動作時における電源の状態）
図３は、実施の形態にかかる電子時計の通常動作時における電源の状態の一例を示す図である。図２に示したステップＳ２０３において、電源１１０のスイッチＳＷ１〜ＳＷ４はたとえば図３に示す状態に制御される。すなわち、電池１１１，１１２が制御回路１３０に並列接続され、電池１１１，１１２の電力が上述の通常動作に、すなわち低負荷の通常動作に使用される。
【００５３】
図３に示す状態においては、電圧値がほぼ等しい電池１１１，１１２において、制御回路１３０への電源供給と、制御回路１３０を介した太陽電池１２０からの充電と、が均等に行われる。したがって、電池１１１，１１２の間で電圧値がほぼ等しい状態が維持される。電力供給経路３０１，３０２は、それぞれ電池１１１，１１２の電力の供給経路を示している。
【００５４】
図４は、実施の形態にかかる電子時計の通常動作時における電源の状態の他の一例を示す図である。図２に示したステップＳ２０５において、電池１１１の電圧値Ｖ１が電池１１２の電圧値Ｖ２より低い場合、電源１１０のスイッチＳＷ１〜ＳＷ４はたとえば図４に示す状態に制御される。すなわち、電圧値が比較的低い電池１１１が制御回路１３０に接続され、電圧値が比較的高い電池１１２が制御回路１３０から切断される。
【００５５】
図４に示す状態においては、電圧値が比較的低い電池１１１は充電され、電圧値が比較的高い電池１１２は充電されない。このため、電池１１１，１１２の間の電圧値の差が小さくなる。電池間の電圧値が小さくなることにより、電池の電圧が急激に変動することを抑制したり、電池の負荷特性を改善したりすることができる。これについては後述する。電力供給経路４０１は、電池１１１から制御回路１３０への電力の供給経路を示している。制御回路１３０から電池１１１への充電経路は、電力供給経路４０１の逆方向の経路となる。
【００５６】
図５は、実施の形態にかかる電子時計の通常動作時における電源の状態のさらに他の一例を示す図である。図２に示したステップＳ２０５において、電池１１１の電圧値Ｖ１が電池１１２の電圧値Ｖ２より高い場合、電源１１０のスイッチＳＷ１〜ＳＷ４はたとえば図５に示す状態に制御される。すなわち、電圧値が比較的高い電池１１１が制御回路１３０から切断され、電圧値が比較的低い電池１１２が制御回路１３０に接続される。
【００５７】
図５に示す状態においては、電圧値が比較的低い電池１１２は充電され、電圧値が比較的高い電池１１１は充電されない。このため、電池１１１，１１２の間の電圧値の差が小さくなる。電力供給経路５０１は、電池１１２から制御回路１３０への電力の供給経路を示している。制御回路１３０から電池１１２への充電経路は、電力供給経路５０１の逆方向の経路となる。なお、図４や図５で電圧値が比較的低い一方の電池のみを優先的に充電した場合は、ステップＳ２０１によって算出された電圧値の間の各差分の最大値が所定値未満となり、各電池の電圧値がほぼ等しいと判断されると、ステップＳ２０３によって、切断されていたもう一方の電池も制御回路１３０に接続される。
【００５８】
（実施の形態にかかる電子時計の高負荷動作時における処理）
図６は、実施の形態にかかる電子時計の高負荷動作時における処理の一例を示すフローチャートである。電波受信や高速運針などの高負荷動作時において、電子時計１００はたとえば図６に示す処理を実行する。図６に示す処理は、たとえば図１に示した制御回路１３０の演算部１３３により実行される。
【００５９】
まず、電子時計１００は、電源１１０の各電池の電圧値を検出する（ステップＳ６０１）。ステップＳ６０１における電圧値の検出は、たとえば図２に示したステップＳ２０１における電圧値の検出と同様である。つぎに、電子時計１００は、太陽電池１２０による所定量以上の発電があるか否かを判断する（ステップＳ６０２）。ステップＳ６０２における発電の判断は、たとえば図２に示したステップＳ２０４における発電の判断と同様である。
【００６０】
ステップＳ６０２において、所定量以上の発電がある場合（ステップＳ６０２：Ｙｅｓ）は、電子時計１００は、ステップＳ６０３へ移行する。すなわち、電子時計１００は、電源１１０の各電池のうち、ステップＳ６０１によって検出された電圧値が最も低い電池を制御回路１３０に接続し、残りの電池を、高負荷動作を行う負荷動作部に接続するように切換部１１３を制御する（ステップＳ６０３）。残りの電池が複数ある場合、電子時計１００はこれらの電池を負荷動作部に直列接続する。
【００６１】
高負荷動作を行う負荷動作部は、たとえば、高負荷動作として電波受信を行う場合は受信回路１４２であり、高負荷動作として高速運針を行う場合は制御回路１３０である。したがって、高負荷動作として高速運針を行う場合は、ステップＳ６０３において、電源１１０のすべての電池が制御回路１３０に接続されることになる。ステップＳ６０３により、所定量以上の発電がある、すなわち電子時計１００の通常動作の電力を発電により供給できている場合に、電圧値が低い電池を制御回路１３０に接続して充電しつつ、より電圧値が高い電池を高負荷動作に用いることができる。
【００６２】
つぎに、電子時計１００は、高負荷動作を行う負荷動作部の電圧が、ステップＳ６０３によってその負荷動作部に接続した電池の電圧で足りるか否かを判断する（ステップＳ６０４）。たとえば、電子時計１００は、負荷動作部ごとに、その負荷動作部の駆動に要する電力を内部メモリに記憶している。そして、電子時計１００は、ステップＳ６０３によって負荷動作部に接続した電池についてステップＳ６０１によって検出した電圧値の合計が、その負荷動作部の駆動に要する電力に達しているか否かを判断する。
【００６３】
ステップＳ６０４において、電圧が足りる場合（ステップＳ６０４：Ｙｅｓ）は、電子時計１００は、一連の処理を終了する。電圧が足りない場合（ステップＳ６０４：Ｎｏ）は、電子時計１００は、電源１１０の各電池を直列接続するように切換部１１３を制御し（ステップＳ６０５）、一連の処理を終了する。ステップＳ６０５により、高負荷動作の駆動電圧の不足を抑制することができる。
【００６４】
ステップＳ６０２において、所定量以上の発電がない場合（ステップＳ６０２：Ｎｏ）は、電子時計１００は、ステップＳ６０６へ移行する。すなわち、電子時計１００は、電源１１０の各電池のうち、ステップＳ６０１によって検出された電圧値が最も高い電池を制御回路１３０に接続し、残りの電池を、高負荷動作を行う負荷動作部に接続するように切換部１１３を制御する（ステップＳ６０６）。残りの電池が複数ある場合、電子時計１００はこれらの電池を負荷動作部に直列接続する。そして、電子時計１００は、ステップＳ６０４へ移行する。
【００６５】
ステップＳ６０６により、所定量以上の発電がない、すなわち電子時計１００の通常動作の電力を発電により供給できていない場合に、電圧値が高い電池を制御回路１３０に接続して通常動作の停止を抑制しつつ、残りの電池を高負荷動作に用いることができる。図６に示した処理による制御結果については後述する（たとえば図７〜図９参照）。
【００６６】
電子時計１００は、たとえば図６に示す処理を高負荷動作の開始時に実行する。ただし、電子時計１００による図６に示す処理の実行方法はこれに限らない。たとえば、電子時計１００は、高負荷動作の実行中に、図６に示す処理を繰り返し実行してもよい。
【００６７】
（実施の形態にかかる電子時計の高負荷動作時における電源の状態）
図７は、実施の形態にかかる電子時計の高負荷動作時における電源の状態の一例を示す図である。高負荷動作として高速運針を行う場合に、図６に示した処理により、電源１１０のスイッチＳＷ１〜ＳＷ４はたとえば図７に示す状態に制御される。すなわち、電池１１１，１１２が制御回路１３０に直列接続され、電池１１１，１１２の電力が高負荷動作に使用される。
【００６８】
図７に示す状態においては、電池１１１，１１２が制御回路１３０に直列接続されていることにより、制御回路１３０に高い電圧を供給することができる。電力供給経路７０１は、直列接続された電池１１１，１１２の電力の供給経路を示している。太陽電池１２０による発電がある場合は、電力供給経路７０１の逆方向の経路により電池１１１，１１２の充電が行われる。
【００６９】
図８は、実施の形態にかかる電子時計の高負荷動作時における電源の状態の他の一例を示す図である。たとえば、電子時計１００が、高負荷動作として電波受信を行い、電池１１１の電圧値Ｖ１が電池１１２の電圧値Ｖ２より高く、電池１１１の電圧値Ｖ１だけでは受信回路１４２の駆動電力に達しないとする。この場合に、図６に示した処理により、電源１１０のスイッチＳＷ１〜ＳＷ４はたとえば図８に示す状態に制御される。すなわち、電池１１２が制御回路１３０に接続され、電池１１１，１１２が受信回路１４２に直列接続される。
【００７０】
図８に示す状態においては、比較的電圧値が低い電池１１２が制御回路１３０に接続されることにより、電池１１２による制御回路１３０の通常運針（現在時刻の表示）等が行われるとともに電池１１２が充電される。また、電池１１１，１１２が受信回路１４２に直列接続されていることにより、受信回路１４２に対して高い電圧を供給することができる。
【００７１】
これにより、低負荷な制御回路１３０および高負荷な受信回路１４２をそれぞれ適切な電圧により駆動するとともに、比較的電圧値が低い電池１１２を充電して電池１１１，１１２の間の電圧値の差を小さくすることができる。電力供給経路８０１は、直列接続された電池１１１，１１２の電力の供給経路を示している。電力供給経路８０２は、電池１１２から制御回路１３０への電力の供給経路を示している。電池１１２の充電は、電力供給経路８０２の逆方向の経路により行われる。
【００７２】
図８に示した状態において、電波受信が終了すると、たとえば電子時計１００は電波受信により修正した内部時刻を表示時刻に反映させるための高速運針を行う。この際に、電子時計１００は、たとえば図７に示したように切換部１１３を制御し、電池１１１，１１２を制御回路１３０に直列接続する。その後、電子時計１００は、通常動作に移行するとともに、たとえば図５に示したように切換部１１３を制御し、電池１１１を充電する。
【００７３】
図９は、実施の形態にかかる電子時計の高負荷動作時における電源の状態のさらに他の一例を示す図である。たとえば、電子時計１００が、高負荷動作として電波受信を行い、電池１１１の電圧値Ｖ１が電池１１２の電圧値Ｖ２より低く、電池１１１の電圧値Ｖ１だけでは受信回路１４２の駆動電力に達しないとする。この場合に、図６に示した処理により、電源１１０のスイッチＳＷ１〜ＳＷ４はたとえば図９に示す状態に制御される。すなわち、電池１１１が制御回路１３０に接続され、電池１１１，１１２が受信回路１４２に直列接続される。
【００７４】
図９に示す状態においては、比較的電圧値が低い電池１１１が制御回路１３０に接続されることにより、電池１１１による制御回路１３０の通常運針（現在時刻の表示）等が行われるとともに電池１１１が充電される。また、電池１１１，１１２が受信回路１４２に直列接続されていることにより、受信回路１４２に対して高い電圧を供給することができる。
【００７５】
これにより、低負荷な制御回路１３０および高負荷な受信回路１４２をそれぞれ適切な電圧により駆動するとともに、比較的電圧値が低い電池１１１を充電して電池１１１，１１２の間の電圧値の差を小さくすることができる。電力供給経路９０１は、直列接続された電池１１１，１１２の電力の供給経路を示している。電力供給経路９０２は、電池１１１の電力の供給経路を示している。電池１１１の充電は、電力供給経路９０２の逆方向の経路により行われる。
【００７６】
図９に示した状態において、電波受信が終了すると、たとえば電子時計１００は電波受信により修正した内部時刻を表示時刻に反映させるための高速運針を行う。この際に、電子時計１００は、たとえば図７に示したように切換部１１３を制御し、電池１１１，１１２を制御回路１３０に直列接続する。その後、電子時計１００は、通常動作に移行するとともに、たとえば図４に示したように切換部１１３を制御し、電池１１１を充電する。
【００７７】
なお、たとえば図８，図９に示した例において、電池１１１の電圧値Ｖ１と電池１１２の電圧値Ｖ２とがほぼ等しい場合は、電子時計１００は、電源１１０の切換部１１３を図８，図９のいずれの状態に制御してもよい。
【００７８】
（実施の形態にかかる電子時計のパワーブレイク時における処理）
図１０は、実施の形態にかかる電子時計のパワーブレイク時における処理の一例を示すフローチャートである。パワーブレイクとは、たとえば、電池１１１，１１２が供給する電圧の不足により、電子時計１００のハードウェア（たとえば制御回路１３０）に対する制御が停止する状態である。パワーブレイクの状態になると、電子時計１００はたとえば図１０に示す処理を実行する。図１０に示す処理は、ステップＳ１００１を除き、たとえば図１に示した制御回路１３０の演算部１３３により実行される。
【００７９】
まず、電子時計１００は、電源１１０のすべての電池（たとえば電池１１１，１１２）を制御回路１３０に直列接続するように切換部１１３を制御する（ステップＳ１００１）。ステップＳ１００１は、たとえば、制御回路１３０から切換部１１３への電源供給が途絶えた場合に、電池１１１，１１２が直列接続された状態となるようにスイッチＳＷ１〜ＳＷ４を構成しておくことにより実現することができる。
【００８０】
ステップＳ１００１により、電源１１０のスイッチＳＷ１〜ＳＷ４はたとえば図７に示した状態に制御される。これにより、電池１１１，１１２の両方が充電されるとともに、電池１１１，１１２の電圧値が低くても、制御回路１３０に対して通常動作が可能な電力を供給することができる。たとえば、電子時計１００は、電池１１１，１１２の電圧値が制御回路１３０を駆動可能な電圧値になるとステップＳ１００２へ移行する。
【００８１】
つぎに、電子時計１００は、ステップＳ１００１により直列接続した電源１１０の電池の電圧値を検出する（ステップＳ１００２）。たとえば、演算部１３３は、ステップＳ１００１により電源１１０の各電池を制御回路１３０に直列接続した状態で電圧検出回路１３２の出力を参照することにより、直列接続した電源１１０の電池の電圧値を検出することができる。
【００８２】
つぎに、電子時計１００は、ステップＳ１００２により検出した電圧値が所定の第１閾値以上であるか否かを判断する（ステップＳ１００３）。第１閾値は、たとえば電子時計１００が後述の省エネルギー状態に移行しなくても上述の通常動作が可能な電圧値に相当する。電圧値が第１閾値以上でない場合（ステップＳ１００３：Ｎｏ）は、電子時計１００は、省エネルギー状態へ移行し（ステップＳ１００４）、ステップＳ１００２へ戻る。
【００８３】
省エネルギー状態は、たとえば上述の通常運針（現在時刻の表示）よりも消費電力が小さい状態である。たとえば、省エネルギー状態は、電子時計１００の秒針を２秒ごとに動かすことによりユーザに対して充電を促す充電警告状態である。または、省エネルギー状態は、電子時計１００の各指針を停止させる運針停止状態であってもよい。ステップＳ１００２〜Ｓ１００４により、電子時計１００は、直列接続した電源１１０の電池の電圧値が第１閾値以上になるまで消費電力が小さい省エネルギー状態を維持することができる。
【００８４】
ステップＳ１００３において、電圧値が第１閾値以上である場合（ステップＳ１００３：Ｙｅｓ）は、電子時計１００は、省エネルギー状態を解除する（ステップＳ１００５）。たとえば、電子時計１００は、上述の通常運針を開始する。
【００８５】
つぎに、電子時計１００は、直列接続した電源１１０の電池の電圧値を検出する（ステップＳ１００６）。ステップＳ１００６における電圧値の検出は、たとえばステップＳ１００２における電圧値の検出と同様である。
【００８６】
つぎに、電子時計１００は、ステップＳ１００６により検出した電圧値が所定の第２閾値以上であるか否かを判断する（ステップＳ１００７）。第２閾値は、たとえば、上述の第１閾値より高い閾値であり、たとえば電子時計１００がパワーブレイク（ＰＷＢ）する電圧値の２倍に相当する（たとえば図１１参照）。
【００８７】
ステップＳ１００７において、電圧値が第２閾値以上でない場合（ステップＳ１００７：Ｎｏ）は、電子時計１００は、ステップＳ１００６へ戻る。ステップＳ１００６，Ｓ１００７により、たとえば、電源１１０の各電池を制御回路１３０に並列接続しても電源１１０の通常動作が可能になるまで、電源１１０の各電池を制御回路１３０に直列接続した状態を維持することができる。
【００８８】
ステップＳ１００７において、電圧値が第２閾値以上である場合（ステップＳ１００７：Ｙｅｓ）は、電子時計１００は、電源１１０の各電池の電圧値をそれぞれ検出する（ステップＳ１００８）。ステップＳ１００８における電圧値の検出は、たとえば図２に示したステップＳ２０１における電圧値の検出と同様である。
【００８９】
つぎに、電子時計１００は、ステップＳ１００８の検出結果に基づいて、電源１１０のすべての電池の間の電位差が所定の第３閾値以下であるか否かを判断する（ステップＳ１００９）。少なくともいずれかの電池の間の電位差が第３閾値以下でない場合（ステップＳ１００９：Ｎｏ）は、電子時計１００は、電源１１０の各電池のうち、ステップＳ１００８によって検出した電圧値が最も低い電池のみを制御回路１３０に接続するように切換部１１３を制御し（ステップＳ１０１０）、ステップＳ１００８へ戻る。ステップＳ１００６〜Ｓ１０１０により、電源１１０の各電池の電圧値がほぼ等しくなるまで、電圧値が低い電池のみを充電することができる。
【００９０】
ステップＳ１００９において、すべての電池の間の電位差が第３閾値以下である場合（ステップＳ１００９：Ｙｅｓ）は、電子時計１００は、電源１１０のすべての電池を制御回路１３０に並列接続するように切換部１１３を制御し（ステップＳ１０１１）、一連の処理を終了する。この後、電子時計１００は、たとえば図２に示した処理を開始する。
【００９１】
（実施の形態にかかる電子時計のパワーブレイク時における充電）
図１１は、実施の形態にかかる電子時計のパワーブレイク時における充電の一例を示す図である。図１１において、横軸は時間（Ｔ）を示し、縦軸は電源１１０から制御回路１３０に供給される電圧Ｖを示している。
【００９２】
縦軸のＢＤは、電子時計１００がパワーブレイク（ＰＷＢ）する閾値である。すなわち、電子時計１００は、制御回路１３０へ供給される電力がＢＤを下回ると上述のパワーブレイクに移行する。縦軸のＢＤ×２は、電子時計１００がパワーブレイクする閾値の２倍の電圧値であり、上述の第２閾値に相当する。
【００９３】
電圧値変化１１０１は、図１０に示した処理による、パワーブレイク時における電源１１０から制御回路１３０に供給される電圧Ｖの時間変化である。ここでは電源１１０の各電池が電池１１１，１１２であるとする。図１０に示したように、電子時計１００は、パワーブレイクに移行すると電池１１１，１１２を制御回路１３０に直列接続する。
【００９４】
電池１１１，１１２の電圧値が低い場合には、電池１１１，１１２を制御回路１３０に直列接続することで、たとえば電池１１１，１１２を制御回路１３０に並列接続する場合と比べて、電池１１１，１１２の時間あたりの充電量を増やすことができる。このため、電池１１１，１１２を高速に充電することができる。
【００９５】
これにより、電池１１１，１１２が充電され、電圧値変化１１０１に示すように、電源１１０から制御回路１３０に供給される電圧Ｖが時間経過に応じて増加する。ここで、電子時計１００は、電源１１０から制御回路１３０に供給される電圧Ｖが、電子時計１００がパワーブレイクする閾値ＢＤを超えても、電池１１１，１１２を制御回路１３０に直列接続した状態を維持する。
【００９６】
そして、電子時計１００は、電源１１０から制御回路１３０に供給される電圧ＶがＢＤの２倍（第２閾値）に達した時点ｔ１において、電池１１１，１１２を制御回路１３０に並列接続する。これにより、電源１１０から制御回路１３０に供給される電圧Ｖは、半分に減少するが、電子時計１００がパワーブレイクする閾値は下回らない。したがって、電池１１１，１１２の並列接続化によって電子時計１００が再度パワーブレイクに陥ることを抑制することができる。また、電池１１１，１１２を並列接続化することにより、たとえば制御回路１３０に過度な電力が供給されることを抑制することができる。
【００９７】
電源１１０の各電池が電池１１１，１１２である場合について説明したが、電源１１０が３以上のＮ個の電池を有する場合、電子時計１００は、電源１１０から制御回路１３０に供給される電圧ＶがＢＤ×Ｎに達してから、電源１１０の各電池を直列接続から並列接続に切り換える。これにより、電源１１０の各電池の並列接続化によって電子時計１００が再度パワーブレイクに陥ることを抑制することができる。
【００９８】
（実施の形態にかかる電子時計の電池における電圧値と電流の発電量ごとの関係）
図１２は、実施の形態にかかる電子時計の電池における電圧値と電流の発電量ごとの関係の一例を示す図である。電池１１１について説明するが、電池１１２についても同様である。図１２において、横軸は、電池１１１の電圧（電圧値）［Ｖ］を示し、縦軸は、電池１１１に供給される電流［Ｉ］を示している。
【００９９】
電圧電流特性１２０１〜１２０３は、それぞれ太陽電池１２０における発電量が５００［Ｗ／ｍ2］、８００［Ｗ／ｍ2］、１０００［Ｗ／ｍ2］である場合における、電池１１１の電圧値と電池１１１に供給される電流との間の関係を示している。電池１１１の充電量は、横軸が示す電池１１１の電圧値と、縦軸が示す電池１１１への供給電流と、の積に対応する。
【０１００】
電圧電流特性１２０１〜１２０３のそれぞれが示すように、電池１１１の電圧値がある程度高くなると、電池１１１の電圧値が高くなるほど電池１１１へ供給電流が低下する。このため、電池１１１の電圧値がある程度高くなると、電池１１１の充電量が低下する。横軸のＶｍａｘは、電池１１１の充電量が最大となる電池１１１の電圧値である。
【０１０１】
電子時計１００は、電池１１１，１１２の少なくとも一方の電圧値がＶｍａｘまたはＶｍａｘよりわずかに低い電圧値に達すると、電池１１１，１１２を直列接続から並列接続に切り換える。これにより、電池１１１，１１２の充電にかかる時間を短くし、充電効率を向上させることができる。
【０１０２】
一例としては、ｎを２以上の整数（図１２に示す例では５）とすると、電池１１１の電圧値が（（ｎ−１）／ｎ）Ｖｍａｘ（図１２のｎ−１）に達すると、電池１１１，１１２を直列接続から並列接続に切り換える。ｎ＝５、Ｖｍａｘ＝５［Ｖ］とすると、（（ｎ−１）／ｎ）Ｖｍａｘ＝（（５−１）／５）５＝４［Ｖ］である。
【０１０３】
このように、電子時計１００は、図１１において説明した、再度パワーブレイクに陥ることを回避するための基準（ＢＤ×Ｎ）に加えてまたは代えて、充電の効率を高めるための基準を用いて電源１１０の各電池を並列接続から直列接続に切り換えてもよい。たとえば、図１０に示した処理において、電子時計１００は、ステップＳ１００７とステップＳ１００８との間において、電池１１１，１１２の少なくとも一方の電圧値がＶｍａｘまたはＶｍａｘよりわずかに低い電圧値に達するまで待機する処理を行ってもよい。
【０１０４】
（実施の形態にかかる電子時計のパワーブレイク時における処理の他の例）
図１３は、実施の形態にかかる電子時計のパワーブレイク時における処理の他の一例を示すフローチャートである。パワーブレイク時において、電子時計１００はたとえば図１２に示す処理を実行してもよい。図１３に示す処理は、たとえば図１に示した制御回路１３０の演算部１３３により実行される。
【０１０５】
まず、電子時計１００は、電源１１０の各電池の電圧値を検出する（ステップＳ１３０１）。ステップＳ１３０１における電圧値の検出は、たとえば図２に示したステップＳ２０１における電圧値の検出と同様である。
【０１０６】
つぎに、電子時計１００は、ステップＳ１３０１の検出結果に基づいて、電源１１０のすべての電池の電圧値が所定の第４閾値以上であるか否かを判断する（ステップＳ１３０２）。第４閾値は、たとえば図１２において説明した、ＶｍａｘまたはＶｍａｘよりわずかに低い電圧値に相当する。
【０１０７】
ステップＳ１３０２において、少なくともいずれかの電池の電圧値が第４閾値以上でない場合（ステップＳ１３０２：Ｎｏ）は、電子時計１００は、上述の省エネルギー状態へ移行する（ステップＳ１３０３）。つぎに、電子時計１００は、電源１１０の各電池のうち電圧値が第４閾値未満の電池のみを制御回路１３０に接続するように切換部１１３を制御し（ステップＳ１３０４）、ステップＳ１３０１へ戻る。ステップＳ１３０４において、電源１１０の各電池のうち電圧値が第４閾値未満の電池が複数ある場合、電子時計１００はこれらの電池を電源１１０に直列接続する。
【０１０８】
ステップＳ１３０２において、すべての電池の電圧値が第４閾値以上である場合（ステップＳ１３０２：Ｙｅｓ）は、電子時計１００は、電源１１０の各電池の電圧値を検出する（ステップＳ１３０５）。ステップＳ１３０５における電圧値の検出は、たとえば図２に示したステップＳ２０１における電圧値の検出と同様である。つぎに、電子時計１００は、ステップＳ１３０５の検出結果に基づいて、電源１１０のすべての電池の間の電位差が上述の第３閾値以下であるか否かを判断する（ステップＳ１３０６）。
【０１０９】
ステップＳ１３０６において、少なくともいずれかの電池の間の電位差が第３閾値以下でない場合（ステップＳ１３０６：Ｎｏ）は、電子時計１００は、電源１１０の各電池のうち、ステップＳ１３０５によって検出した電圧値が最も低い電池のみを制御回路１３０に接続するように切換部１１３を制御し（ステップＳ１３０７）、ステップＳ１３０５へ戻る。すべての電池の間の電位差が第３閾値以下である場合（ステップＳ１３０６：Ｙｅｓ）は、電子時計１００は、一連の処理を終了する。
【０１１０】
上述した各制御においては、電池１１１，１１２の少なくともいずれかは制御回路１３０に常に接続された状態となる。これにより、制御回路１３０に接続された太陽電池１２０により、電池１１１，１１２の少なくともいずれかが常に充電される。また、太陽電池１２０における発電量が少なくとも、電池１１１，１１２の少なくともいずれかから制御回路１３０に対して通常動作のための電力を供給することができる。
【０１１１】
また、制御回路１３０には、上述の電圧検出回路１３２に加えて過充電防止機能を設けてもよい。たとえば、電源１１０の各電池の電圧値を電圧検出回路１３２によって検出した際に、電圧値が閾値（満充電に相当する値）以上である電池については制御回路１３０に接続しないようにすることで、電池の過充電を防止することができる。
【０１１２】
このように、実施の形態にかかる電子時計によれば、複数の電池と複数の負荷動作部との間の接続状態を切り換え可能であり、かつ各電池を直列接続した状態と各電池を並列接続した状態とを切り換え可能である。たとえば、図１等に示した例では、電池１１１，１１２と制御回路１３０および受信回路１４２との接続状態を切換部１１３によって切り換え可能であり、かつ電池１１１，１１２を直列接続した状態と電池１１１，１１２を並列接続した状態とを切り換え可能である。
【０１１３】
これにより、複数の負荷動作部のうち電池の接続先に応じて、各電池を直列接続した状態と各電池を並列接続した状態とを切り換えることができる。たとえば、電池の接続先の負荷動作部が、高い駆動電力が不要な負荷動作部（たとえば通常運針時の制御回路１３０）である場合は、複数の電池をその負荷動作部に並列接続する（たとえば図３参照）ことで、その負荷動作部に過剰な電力を供給することを回避し、消費電力を抑制することができる。また、電池の接続先の負荷動作部が、高い駆動電力を要する負荷動作部（たとえば受信回路１４２や高速運針時の制御回路１３０）である場合は、複数の電池をその負荷動作部に直列接続する（たとえば図７〜図９参照）ことで、その負荷動作部の駆動に要する駆動電力を供給することができる。
【０１１４】
また、実施の形態にかかる電子時計は、発電を行う発電部（たとえば太陽電池１２０）を備え、複数の電池と発電部との間の接続状態を切り換え可能であってもよい。たとえば、図１等に示した例では、電池１１１，１１２と太陽電池１２０とを、制御回路１３０（充電制御回路１３１）を介して接続可能であり、電池１１１，１１２と太陽電池１２０との接続状態を切換部１１３によって切り換え可能である。
【０１１５】
これにより、たとえば、各電池を発電部に直列接続した状態、各電池を発電部に並列接続した状態、および各電池のうち一部の電池のみを発電部に直列接続した状態を切り換えることができるため、各電池の状態に応じた柔軟な充電が可能になる。
【０１１６】
たとえば、実施の形態にかかる電子時計は、複数の電池が供給する各電圧を検出し、複数の電池のうち検出した各電圧に基づいて選択された電池を発電部に接続してもよい。これにより、各電池が供給する電圧に応じた充電が可能になる。具体的には、実施の形態にかかる電子時計は、複数の電池のうち検出した電圧が最も低い電池を発電部に接続する。これにより、複数の電池の間の電圧の差が小さくなるように充電を行うことができる。
【０１１７】
複数の電池の間の電圧の差を小さくすることで、たとえば複数の電池を並列接続した際に電池間で大電流が流れて電圧が急激に変動することを抑制することができる。電圧が急激に変動することを抑制することで、たとえば、電池１１１，１１２の劣化や、制御回路１３０および受信回路１４２の動作が不安定になることを抑制することができる。
【０１１８】
また、複数の電池の間の電圧の差を小さくすることで、たとえば複数の電池を直列接続した際の負荷特性を改善することができる。すなわち、負荷動作部に複数の電池を直列接続した場合に、負荷動作部に流せる電流値は、最も出力特性の低い電池によって決まる。一般的に、電池は放電深度が深くなる（空に近い状態になる）ほど負荷特性が悪くなるため、直列接続時には最も放電深度の深い電池に出力が引っ張られることになる。したがって、電圧値が低い（放電深度が深い）電池を優先的に充電して電池間の電圧の差を小さくすることで、電池の負荷特性を改善することができる。
【０１１９】
また、実施の形態にかかる電子時計は、複数の電池が供給する電圧の不足により自時計のハードウェアに対する制御が停止するパワーブレイク状態になると、複数の電池を発電部に直列接続した後に、複数の電池を発電部に並列接続してもよい。これにより、パワーブレイク状態に陥るほど放電深度が深くなった各電池を短時間で充電するとともに、各電池がある程度充電された後は、各負荷動作部に過剰な電力を供給することを回避して消費電力を抑制することができる。
【０１２０】
たとえば、実施の形態にかかる電子時計は、発電部に直列接続した複数の電池による供給電圧に基づいて、複数の電池を並列接続しても自時計がパワーブレイク状態へ移行しない状態になった後に、複数の電池を発電部に並列接続する（たとえば図１１参照）。これにより、各電池を短時間で充電するとともに、自時計がパワーブレイク状態へ再度移行することを回避することができる。
【０１２１】
上述した実施の形態において、負荷動作部として受信回路１４２および高速運針時の制御回路１３０を例示したが、負荷動作部はこれらに限らない。たとえば、電子時計１００は、外部装置との間で通信を行う通信インタフェースを備えていてもよく、電子時計１００の負荷動作部はこの通信インタフェースを含んでもよい。この通信インタフェースは、たとえばＢｌｕｅｔｏｏｔｈ（登録商標）、Ｗｉ−Ｆｉ（登録商標）、ＮＦＣ（Ｎｅａｒ  Ｆｉｅｌｄ  Ｃｏｍｍｕｎｉｃａｔｉｏｎ）などの無線通信の通信インタフェースであってもよいし、ＵＳＢ（Ｕｎｉｖｅｒｓａｌ  Ｓｅｒｉａｌ  Ｂｕｓ）ケーブルなどの有線接続による通信の通信インタフェースであってもよい。また、電子時計１００の負荷動作部は、音により通知を行うスピーカ、発光により通知を行う光源、振動により通知を行う振動モータ、音声を入力するマイク等を含んでもよい。また、電子時計１００の発電部は、たとえば熱発電、振動発電、ワイヤレス給電などであってもよい。
【０１２２】
以上説明したように、電子時計によれば、複数の負荷動作部に対して複数の電池から適切に電力供給を行うことができる。
【産業上の利用可能性】
【０１２３】
以上のように、この発明にかかる電子時計は、複数の電池を備える電子時計に有用であり、特に、複数の電池の電力を複数の負荷動作部に供給する電子時計に適している。
【符号の説明】
【０１２４】
１００  電子時計
１１０  電源
１１１，１１２  電池
１１３  切換部
１４１  アンテナ
１５２  表示部
３０１，３０２，４０１，５０１，７０１，８０１，８０２，９０１，９０２  電力供給経路
１１０１  電圧値変化
１２０１〜１２０３  電圧電流特性
ＳＷ１〜ＳＷ４  スイッチ
【図１】
2020126027.tif 000003
【図２】
2020126027.tif 000004
【図３】
2020126027.tif 000005
【図４】
2020126027.tif 000006
【図５】
2020126027.tif 000007
【図６】
2020126027.tif 000008
【図７】
2020126027.tif 000009
【図８】
2020126027.tif 000010
【図９】
2020126027.tif 000011
【図１０】
2020126027.tif 000012
【図１１】
2020126027.tif 000013
【図１２】
2020126027.tif 000014
【図１３】
2020126027.tif 000015